【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
データを送信する送信手段と、
所有者の異なる１個または複数個のデータ格納領域が設定された格納手段と、
前記送信手段によるデータの送信に際し、データと共に送信される送信元アドレスを、送信されるデータの取得先に応じて設定するとともに、前記データの取得先が、前記格納手段のデータ格納領域である場合は、操作者のアドレスとデータ格納領域の所有者のアドレスのうち、操作者により選択されたアドレスを送信元アドレスとして設定するアドレス設定手段と、
を備えたことを特徴とするデータ送信装置。
【請求項２】
送信元アドレスとして操作者のアドレスが選択された場合には、前記アドレス設定手段は、データ格納領域の所有者のアドレスを「ＣＣ」欄に設定する請求項１に記載のデータ送信装置。
【請求項３】
前記操作者の選択に際して、前記操作者のアドレスと所有者のアドレスを表示する表示手段をさらに備えている請求項１または２に記載のデータ送信装置。
【請求項４】
前記操作者は認証された操作者である請求項１ないし３のいずれかに記載のデータ送信装置。
【請求項５】
前記送信手段は電子メール送信手段、ファクシミリ送信手段、インターネットファクシミリ送信手段を含む請求項１ないし４のいずれかに記載のデータ送信装置。
【請求項６】
前記データ送信装置は、複数の機能を有する多機能画像形成装置である請求項１ないし５のいずれかに記載のデータ送信装置。
【請求項７】
データを送信する送信ステップと、
前記送信ステップにおけるデータの送信に際し、データと共に送信される送信元アドレスを、送信されるデータの取得先に応じて設定するとともに、前記データの取得先が、所有者の異なる１個または複数個のデータ格納領域が設定された格納手段の前記データ格納領域である場合は、操作者のアドレスとデータ格納領域の所有者のアドレスのうち、操作者により選択されたアドレスを送信元アドレスとして設定するアドレス設定ステップと、
を備えたことを特徴とするデータ送信装置における送信元アドレスの設定方法。
【請求項８】
送信元アドレスとして操作者のアドレスが選択された場合には、前記アドレス設定ステップでは、データ格納領域の所有者のアドレスを「ＣＣ」欄に設定する請求項７に記載のデータ送信装置における送信元アドレスの設定方法。
【請求項９】
前記操作者の選択に際して、前記操作者のアドレスと所有者のアドレスを表示手段に表示するステップをさらに備えている請求項７または８に記載のデータ送信装置における送信元アドレスの設定方法。
【請求項１０】
前記操作者は認証された操作者である請求項７ないし９のいずれかに記載のデータ送信装置における送信元アドレスの設定方法。
【請求項１１】
前記送信ステップは電子メール送信手段による送信ステップ、ファクシミリ送信手段による送信ステップ、インターネットファクシミリ送信手段による送信ステップを含む請求項７ないし１０のいずれかに記載のデータ送信装置における送信元アドレスの設定方法。
【請求項１２】
前記データ送信装置は、複数の機能を有する多機能画像形成装置である請求項７ないし１１のいずれかに記載のデータ送信装置における送信元アドレスの設定方法。
【請求項１３】
データを送信する送信ステップと、
前記送信ステップにおけるデータの送信に際し、データと共に送信される送信元アドレスを、送信されるデータの取得先に応じて設定するとともに、前記データの取得先が、所有者の異なる１個または複数個のデータ格納領域が設定された格納手段の前記データ格納領域である場合は、操作者のアドレスとデータ格納領域の所有者のアドレスのうち、操作者により選択されたアドレスを送信元アドレスとして設定するアドレス設定ステップと、
をデータ送信装置のコンピュータに実行させるための送信元アドレスの設定プログラム。
【請求項１４】
送信元アドレスとして操作者のアドレスが選択された場合には、前記アドレス設定ステップでは、データ格納領域の所有者のアドレスを「ＣＣ」欄に設定する処理をコンピュータに実行させる請求項１３に記載の送信元アドレスの設定プログラム。
【請求項１５】
前記操作者の選択に際して、前記操作者のアドレスと所有者のアドレスを表示手段に表示するステップをさらにコンピュータに実行させる請求項１３または１４に記載の送信元アドレスの設定プログラム。
【請求項１６】
前記操作者は認証された操作者である請求項１３ないし１５のいずれかに記載の送信元アドレスの設定プログラム。
【請求項１７】
前記送信ステップは電子メール送信手段による送信ステップ、ファクシミリ送信手段による送信ステップ、インターネットファクシミリ送信手段による送信ステップを含む請求項１３ないし１６のいずれかに記載の送信元アドレスの設定プログラム。
【請求項１８】
前記データ送信装置は、複数の機能を有する多機能画像形成装置である請求項１３ないし１７のいずれかに記載の送信元アドレスの設定プログラム。
【手続補正２】
【補正対象書類名】明細書
【補正対象項目名】発明の名称
【補正方法】変更
【補正の内容】
【発明の名称】データ送信装置、同装置における送信元アドレスの設定方法及び送信元アドレスの設定プログラム
【手続補正３】
【補正対象書類名】明細書
【補正対象項目名】０００１
【補正方法】変更
【補正の内容】
【０００１】
この発明は、画像や文書等のデータを電子メール、ファクシミリ、インターネットファクシミリ等の送信手段により送信するとともに、送信に際して送信元アドレスを設定するデータ送信装置、同装置における送信元アドレスの設定方法及び送信元アドレスの設定プログラムに関する。
【手続補正４】
【補正対象書類名】明細書
【補正対象項目名】０００８
【補正方法】変更
【補正の内容】
【０００８】
この発明は、このような技術的背景に鑑みてなされたものであって、送信データの取得先が、所有者の異なる１個または複数個のデータ格納領域が設定された格納手段における前記データ格納領域である場合に送信元アドレスの設定を規定したデータ送信装置、同装置における送信元アドレスの設定方法及び送信元アドレスの設定プログラムの提供を課題とする。
【手続補正５】
【補正対象書類名】明細書
【補正対象項目名】０００９
【補正方法】変更
【補正の内容】
【０００９】
上記課題は、以下の手段によって解決される。
（１）データを送信する送信手段と、所有者の異なる１個または複数個のデータ格納領域が設定された格納手段と、前記送信手段によるデータの送信に際し、データと共に送信される送信元アドレスを、送信されるデータの取得先に応じて設定するとともに、前記データの取得先が、前記格納手段のデータ格納領域である場合は、操作者のアドレスとデータ格納領域の所有者のアドレスのうち、操作者により選択されたアドレスを送信元アドレスとして設定するアドレス設定手段と、を備えたことを特徴とするデータ送信装置。
（２）送信元アドレスとして操作者のアドレスが選択された場合には、前記アドレス設定手段は、データ格納領域の所有者のアドレスを「ＣＣ」欄に設定する前項１に記載のデータ送信装置。
（３）前記操作者の選択に際して、前記操作者のアドレスと所有者のアドレスを表示する表示手段をさらに備えている前項１または２に記載のデータ送信装置。
（４）前記操作者は認証された操作者である前項１ないし３のいずれかに記載のデータ送信装置。
（５）前記送信手段は電子メール送信手段、ファクシミリ送信手段、インターネットファクシミリ送信手段を含む前項１ないし４のいずれかに記載のデータ送信装置。
（６）前記データ送信装置は、複数の機能を有する多機能画像形成装置である前項１ないし５のいずれかに記載のデータ送信装置。
（７）データを送信する送信ステップと、前記送信ステップにおけるデータの送信に際し、データと共に送信される送信元アドレスを、送信されるデータの取得先に応じて設定するとともに、前記データの取得先が、所有者の異なる１個または複数個のデータ格納領域が設定された格納手段の前記データ格納領域である場合は、操作者のアドレスとデータ格納領域の所有者のアドレスのうち、操作者により選択されたアドレスを送信元アドレスとして設定するアドレス設定ステップと、を備えたことを特徴とするデータ送信装置における送信元アドレスの設定方法。
（８）送信元アドレスとして操作者のアドレスが選択された場合には、前記アドレス設定ステップでは、データ格納領域の所有者のアドレスを「ＣＣ」欄に設定する前項７に記載のデータ送信装置における送信元アドレスの設定方法。
（９）前記操作者の選択に際して、前記操作者のアドレスと所有者のアドレスを表示手段に表示するステップをさらに備えている前項７または８に記載のデータ送信装置における送信元アドレスの設定方法。
（１０）前記操作者は認証された操作者である前項７ないし９のいずれかに記載のデータ送信装置における送信元アドレスの設定方法。
（１１）前記送信ステップは電子メール送信手段による送信ステップ、ファクシミリ送信手段による送信ステップ、インターネットファクシミリ送信手段による送信ステップを含む前項７ないし１０のいずれかに記載のデータ送信装置における送信元アドレスの設定方法。
（１２）前記データ送信装置は、複数の機能を有する多機能画像形成装置である前項７ないし１１のいずれかに記載のデータ送信装置における送信元アドレスの設定方法。
（１３）データを送信する送信ステップと、前記送信ステップにおけるデータの送信に際し、データと共に送信される送信元アドレスを、送信されるデータの取得先に応じて設定するとともに、前記データの取得先が、所有者の異なる１個または複数個のデータ格納領域が設定された格納手段の前記データ格納領域である場合は、操作者のアドレスとデータ格納領域の所有者のアドレスのうち、操作者により選択されたアドレスを送信元アドレスとして設定するアドレス設定ステップと、をデータ送信装置のコンピュータに実行させるための送信元アドレスの設定プログラム。
（１４）送信元アドレスとして操作者のアドレスが選択された場合には、前記アドレス設定ステップでは、データ格納領域の所有者のアドレスを「ＣＣ」欄に設定する処理をコンピュータに実行させる前項１３に記載の送信元アドレスの設定プログラム。
（１５）前記操作者の選択に際して、前記操作者のアドレスと所有者のアドレスを表示手段に表示するステップをさらにコンピュータに実行させる前項１３または１４に記載の送信元アドレスの設定プログラム。
（１６）前記操作者は認証された操作者である前項１３ないし１５のいずれかに記載の送信元アドレスの設定プログラム。
（１７）前記送信ステップは電子メール送信手段による送信ステップ、ファクシミリ送信手段による送信ステップ、インターネットファクシミリ送信手段による送信ステップを含む前項１３ないし１６のいずれかに記載の送信元アドレスの設定プログラム。
（１８）前記データ送信装置は、複数の機能を有する多機能画像形成装置である前項１３ないし１７のいずれかに記載の送信元アドレスの設定プログラム。
【手続補正６】
【補正対象書類名】明細書
【補正対象項目名】００１１
【補正方法】変更
【補正の内容】
【００１１】
しかも、送信元アドレスとして、前記データ格納領域の所有者のアドレスと操作者のアドレスのうち、操作者により選択されたアドレスが設定されるから、データ格納領域の所有者の代行者が代行送信を行った場合でも、データ格納領域の所有者のアドレスを設定することができる。
【手続補正７】
【補正対象書類名】明細書
【補正対象項目名】００１２
【補正方法】変更
【補正の内容】
【００１２】
前項（２）に記載の発明によれば、送信元アドレスとして操作者のアドレスが選択された場合には、データ格納領域の所有者のアドレスが「ＣＣ」欄に設定されるから、データ格納領域の所有者にもデータが送信され、前記所有者は送信されたデータの内容を確認することができる。